【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
モバイルデバイスのコンピューティングハードウェアが、利用者が文書の印刷を希望するプリンタの識別を受領するステップであって、前記プリンタと関連付けられた機器読み取り可能なコードの走査命令の実行又は前記プリンタと関連付けられた近距離通信標識に対して近距離通信走査命令を実行することを含むステップと、
前記コンピューティングハードウェアが、前記利用者が印刷を希望する前記文書の識別を受領するステップと、
前記コンピューティングハードウェアが、前記文書の前記識別又は前記文書のためのデータとともに前記プリンタの前記識別を中央サーバへ無線で送信するステップと、
を含む方法。
【請求項２】
前記文書がどのように印刷されるかに影響する印刷パラメータの利用者の選択を受領するステップと、
前記印刷パラメータを前記中央サーバへ送信するステップと、
をさらに含む請求項１に記載の方法。
【請求項３】
前記文書の印刷時に利用者が地域サービスのクーポンの受領を希望することを示す前記利用者の選択を受領するステップと、
前記利用者がクーポンを受領したいことを示す前記利用者の選択を前記中央サーバへ送信するステップと、
をさらに含む請求項１に記載の方法。
【請求項４】
前記文書の前記識別を受領するステップは、クラウドストレージプロバイダー上に記憶された文書の識別を受領することを含む、請求項１に記載の方法。
【請求項５】
計算機により実行されたときに前記計算機に請求項１に記載の方法を実行させる、計算機が実行可能な命令を記憶する一つ以上の非一時的な計算機読み取り可能な媒体。
【請求項６】
中央サーバ内のコンピューティングハードウェアが、
モバイルデバイスの利用者が文書の印刷を希望する選択されたプリンタの識別をモバイルデバイスから受領するステップであって、前記識別は、前記選択されたプリンタと関連付けられた機器読み取り可能なコードの走査命令の実行又は前記選択されたプリンタと関連付けられた近距離通信標識に対して近距離通信走査命令を実行する前記利用者によって得られるステップと、
前記コンピューティングハードウェアが、前記文書のためのデータを受領するステップと、
前記コンピューティングハードウェアが、文書印刷データを前記中央サーバから遠隔の前記選択されたプリンタと関連付けられたエッジノードに送るステップであって、前記文書印刷データは、前記選択されたプリンタで前記文書を印刷させるステップと、
を含む方法。
【請求項７】
前記文書がどのように印刷されるかに影響する印刷パラメータの利用者の選択を受領するステップと、
前記印刷パラメータの少なくとも一部に基づき前記文書印刷データを生成するステップとさらに含む請求項６に記載の方法。
【請求項８】
前記文書印刷時に利用者が地域サービスのクーポンの受領を希望することを示す前記利用者選択を受領するステップと、
前記選択されたプリンタの位置と関連付けられたクーポンデータを受領するステップと、
一つ以上のクーポンが前記文書とともに前記選択されたプリンタで印刷されるように前記クーポンデータで前記文書印刷データを補足するステップと、
をさらに含む請求項６に記載の方法。
【請求項９】
前記方法は、さらに、
前記モバイルデバイスから前記文書の識別を受領するステップであって、
前記識別は、前記文書がクラウドストレージプロバイダー上に記憶されていることを示す前記受領するステップと、
前記文書のためのデータを受領するステップは、クラウドストレージプロバイダーから前記文書を取得するステップと、
を含む請求項６に記載の方法。
【請求項１０】
前記エッジノードは、前記プリンタと区別され、前記プリンタ用に設計されたプリンタドライバーを利用した前記プリンタと通信するよう構成されている、請求項６に記載の方法。
【請求項１１】
計算機により実行されたときに前記計算機に請求項６に記載の方法を実行させる計算機が実行可能な命令を記憶する一つ以上の非一時的な計算機が読み取り可能な媒体。
【請求項１２】
モバイルデバイスにおけるコンピューティングハードウェアが、
利用者がデジタルメディアの表示を希望するディスプレイデバイスの識別を受領するステップと、
前記コンピューティングハードウェアが、前記利用者が表示を希望する前記デジタルメディアの識別を受領するステップと、
前記コンピューティングハードウェアが、前記ディスプレイデバイスから区別された中央サーバに、前記デジタルメディアの前記識別又は前記デジタルメディアのためのデータと共に前記ディスプレイデバイスの前記識別を無線で送信するステップと、
を含む方法。
【請求項１３】
前記受領するステップは、前記ディスプレイデバイスと関連付けられた機器読み取り可能なコードの走査命令の実行するステップ又は前記ディスプレイデバイスと関連付けられた近距離通信標識に対する近距離通信走査命令を実行するステップを含む、
請求項１２に記載の方法。
【請求項１４】
前記デジタルメディアがどのように表示されるかに影響する表示パラメータの利用者の選択を受領するステップと、
前記表示パラメータを前記中央サーバへ送信するステップと、
をさらに含む請求項１２に記載の方法。
【請求項１５】
前記文書の前記識別を受領するステップは、クラウドストレージプロバイダー上に記憶されたデジタルメディアの識別を受領するステップを含む、請求項１２に記載の方法。
【請求項１６】
計算機によって実行されたときに前記計算機に請求項１２に記載の方法を実行させる、計算機が実行可能な命令を記憶する一つ以上の非一時的な計算機読み取り可能な媒体。
【請求項１７】
中央サーバ内のコンピューティングハードウェアが、
モバイルデバイスの利用者がデジタルメディアの表示を希望する選択されたディスプレイデバイスの識別をモバイルデバイスから受領するステップと、
前記コンピューティングハードウェアが、表示のために前記デジタルメディアデータを受領するステップと、
前記コンピューティングハードウェアが、表示のために前記デジタルメディアデータを描写するステップと、
前記コンピューティングハードウェアが、前記描写されたデジタルメディアデータを前記中央サーバとは遠隔であり前記選択されたディスプレイデバイスと接続したエッジノードに送信するステップと、
を含む方法。
【請求項１８】
前記利用者がデジタルの表示を希望する前記ディスプレイデバイスの前記識別は、前記ディスプレイデバイスと関連付けられた機器読み取り可能なコードの走査命令の実行又は当該ディスプレイデバイスと関連付けられた近距離通信標識に対する近距離通信走査命令の実行をする前記モバイルデバイスを用いた前記利用者により生成される、
請求項１７に記載の方法。
【請求項１９】
さらに、前記方法は、前記デジタルメディアがどのように表示されるかに影響する表示パラメータの利用者の選択を受領するステップを含み、
前記描写するステップは、前記ディスプレイパラメータに従って実行されるステップである、
請求項１７に記載の方法。
【請求項２０】
前記方法はさらに、
前記モバイルデバイスから前記デジタルメディアデータの識別を受領するステップであって、
前記識別は、前記デジタルメディアデータがクラウドストレージプロバイダー上に記憶されていることを示すステップと、
前記デジタルメディアデータのためのデータの受領ステップは、前記クラウドストレージプロバイダーから前記デジタルメディアデータを取得するステップと、
を含む請求項１７に記載の方法。
【請求項２１】
前記エッジノードは、前記ディスプレイデバイスから区別されており、前記ディスプレイデバイスと互換性のある前記ディスプレイデバイスにビデオ信号を提供するよう構成されている、
請求項１７に記載の方法。
【請求項２２】
前記方法は、さらに、
前記デジタルメディアデータが表示されているとき、前記デジタルメディアデータの変更の要求を前記利用者から受領するステップと、
前記受領した要求に基づき、表示のための前記デジタルメディアデータの修正版を描写するステップと、
前記デジタルメディアデータの前記描写された修正版を前記エッジノードに送信するステップと、
を含む請求項１７に記載の方法。
【請求項２３】
前記利用者からの前記デジタルメディアデータへの修正要求は、文書の異なる頁が表示されること又はプレゼンテーションの異なるスライドを示す、
請求項１７に記載の方法。
【請求項２４】
前記利用者からの前記デジタルメディアデータへの修正要求は、前記デジタルメディアデータに新しい資料が追加され表示されることである、
請求項１７に記載の方法。
【請求項２５】
計算機により実行されたときに前記計算機に請求項１７に記載の方法を実行させる計算機が実行可能な命令を記憶する一つ以上の非一時的な計算機読み取り可能な媒体。
【請求項２６】
少なくともスキャナー及び画像取込装置を含む二つ以上の周辺装置と接続したエッジノードにおけるコンピューティングハードウェアが、
（ａ）訪問者から入力された前記訪問者の合鍵を受領するステップと、前記コンピューティングハードウェアが、前記合鍵を中央サーバに送信するステップと、前記コンピューティングハードウェアが、前記中央サーバから前記訪問者が認証されたとの情報を前記中央サーバから受領するステップと、又は、（ｂ）前記コンピューティングハードウェアが、前記中央サーバから送信された訪問者の合鍵を受領するステップと、前記コンピューティングハードウェアが、訪問者から前記訪問者の合鍵の入力を受領するステップと、もし前記中央サーバからの前記訪問者の合鍵が、前記訪問者から入力された前記訪問者の合鍵と一致すれば前記コンピューティングハードウェアが、前記訪問者を認証するステップと、によって、前記コンピューティングハードウェアが、前記訪問者を認証するステップと、
前記コンピューティングハードウェアが、前記スキャナーを介してゲストの識別文書を走査するステップと、
前記コンピューティングハードウェアが、画像取込装置を介して前記ゲストのデジタルイメージを取得するステップと、
前記コンピューティングハードウェアが、少なくとも前記識別文書及び前記デジタルイメージを含む前記訪問者の記録を生成するステップと、
前記コンピューティングハードウェアが、前記記録を前記中央サーバに送信するステップと、
を含む訪問者の管理を実行する方法。
【請求項２７】
前記二つ以上の周辺装置は、さらに、ビデオディスプレイデバイスを含み、
前記方法は、さらに、前記ビデオディスプレイデバイスを介して訪問者に対してチェックイン指示を表示するステップを含む、
請求項２６に記載の方法。
【請求項２８】
前記二つ以上の周辺装置は、さらにプリンタを含み、
前記方法は、訪問者用の訪問者タグを印刷するステップをさらに含み、
前記訪問者タグは、前記訪問者の前記デジタルイメージを含む、
請求項２６に記載の方法。
【請求項２９】
前記二つ以上の周辺装置は、さらにプリンタを含み、
前記方法は、さらに、前記訪問者に対する訪問指示を印刷するステップを含む、
請求項２６に記載の方法。
【請求項３０】
前記二つ以上の周辺装置は、さらにプリンタを含み、
前記方法は、さらに、前記訪問者のために駐車許可証を印刷するステップを含む、
請求項２６に記載の方法。
【請求項３１】
前記認証は、さらに、前記デジタルイメージを利用して顔面認識処理を実行するステップを含む、
請求項２６に記載の方法。
【請求項３２】
前記顔面認識処理は、前記中央サーバにより遠隔で実行される、
請求項３１に記載の方法。
【請求項３３】
前記訪問者から、前記訪問者が訪問する人の情報を受領するステップと、
自動化された電子メール、SMSメッセ−ジ又はボイスメールメッセージにより前記訪問者が訪問する前記人に知らせるステップと、
をさらに含む請求項２６に記載の方法。
【請求項３４】
計算機により実行されたときに前記計算機に請求項２６に記載の方法を実行させる計算機が実行可能な命令を記憶する一つ以上の非一時的な計算機読み取り可能な媒体。
【請求項３５】
中央サーバ内のコンピューティングハードウェアが、
訪問者又は訪問者管理領域におけるホストから、スケジュール要求を受領するステップと、
前記コンピューティングハードウェアが、訪問者合鍵を生成して前記訪問者へ送信するステップと、
（ａ）前記コンピューティングハードウェアが、二つ以上の周辺装置と接続したエッジノードから送信された訪問者の合鍵を受領するステップと、
前記コンピューティングハードウェアが、前記エッジノードから送信された前記訪問者の合鍵を、前記訪問者へ送信された前記訪問者の合鍵と比較するステップと、
前記エッジノードから送信された前記訪問者の合鍵が、前記訪問者へ送信された前記訪問者の合鍵と一致すれば、前記コンピューティングハードウェアが、認証確認を送信するステップと、又は、
（ｂ）前記コンピューティングハードウェアが、二つ以上の周辺装置と接続したエッジノードに対し、前記訪問者に以前送信された前記訪問者の合鍵を送信するステップと、
により、
前記コンピューティングハードウェアが、前記訪問者管理領域で訪問者の認証を促進するステップと、
を含む訪問者の管理を実行する方法。
【請求項３６】
さらに、前記訪問者管理領域における前記訪問者の記録を受領して記憶するステップを含み、
前記記録は、少なくとも前記訪問者の身元確認文書の走査イメージ及び前記訪問者のデジタルイメージを含む前記訪問者を含む、
請求項３５に記載の方法。
【請求項３７】
前記識別の前記走査イメージは、前記エッジノードと接続したスキャナーにより取得され、
前記訪問者の前記デジタル画像は、前記エッジノードの画像取込装置により取得される、
請求項３６に記載の方法。
【請求項３８】
前記訪問者の前記デジタルイメージに対して顔面認識処理を実行するステップと、
前記訪問者管理領域での前記訪問者の認証を促進するステップは、前記顔面認識処理に基づく認証確認を前記エッジノードに送信するステップを含む、
請求項３６に記載の方法。
【請求項３９】
エッジノードから区別された二つ以上の周辺装置と接続した前記エッジノードにおけるコンピューティングハードウェアであって、前記二つ以上の周辺装置が少なくともビデオディスプレイデバイスとプリンタを含むコンピューティングハードウェアが、
荷物の行き先の標識を利用者から受領するステップと、
前記コンピューティングハードウェアが、前記荷物の前記行き先の前記標識を遠隔の中央サーバに送信するステップと、
前記コンピューティングハードウェアが、前記中央サーバから前記荷物のための複数の運送見積の標識を受領するステップであって、前記一つ以上の運送見積は、前記荷物の運送費用と前記荷物の運送時間を示すステップと、
前記コンピューティングハードウェアが、前記一つ以上の複数の運送見積をビデオディスプレイデバイスを介して前記利用者に表示するステップと、
前記コンピューティングハードウェアが、前記運送見積の選択された一の標識を前記利用者から受領するステップと、
前記コンピューティングハードウェアが、前記運送見積の選択された一の支払い情報を前記利用者から受領するステップと、
前記コンピューティングハードウェアが、前記運送見積の選択された一の標識及び前記支払い情報を前記中央サーバに送信するステップと、
前記コンピューティングハードウェアが、前記中央サーバから前記支払い情報の受納を受領するステップと、
前記コンピューティングハードウェアが、前記支払い情報の受納に基づき前記プリンタを介して出荷ラベルを印刷するステップと、
を含む荷物の運送を促進する方法。
【請求項４０】
前記荷物の前記運送見積の前記選択された一及び支払い情報に責任のある運送会社へ、通知を送信するステップをさらに含む、
請求項３９に記載の方法。
【請求項４１】
前記二つ以上の周辺装置は、さらに、前記荷物の重さのための計りを含み、
前記方法は、さらに、
前記計りを介して前記荷物の重さを受領するステップと、
前記荷物の前記行き先の前記標識に加えて、前記荷物の前記重さを前記遠隔の中央サーバに送信するステップを含む、
請求項３９に記載の方法。
【請求項４２】
計算機により実行されたときに前記計算機に請求項３９に記載の方法を実行させる、計算機が実行可能な命令を記憶する一つ以上の非一時的な計算機読み取り可能な媒体。
【請求項４３】
中央サーバ内のコンピューティングハードウェアが、
エッジノードとは異なる二つ以上の周辺装置と接続した前記エッジノードから荷物の行き先の標識を受領するステップであって、前記二つ以上の周辺装置は、少なくともビデオディスプレイとプリンタを含むステップと、
前記コンピューティングハードウェアが、前記荷物の前記行き先を含む運送見積要求を二つ以上の運送会社に送信することで前記荷物のための二つ以上の運送見積を生成するステップと、
前記コンピューティングハードウェアが、前記エッジノードに前記荷物のための二つ以上の運送見積を送信するステップと、
前記コンピューティングハードウェアが、前記エッジノードから、前記運送見積の選択された一の標識及び支払い情報を受領するステップと、
前記コンピューティングハードウェアが、前記運送見積の選択された一に対する前記支払い情報の受納を受領するステップと、
前記コンピューティングハードウェアが、前記エッジノードに前記支払い情報の前記受納を送信するステップと、
を含む荷物の運送を促進する方法。
【請求項４４】
さらに、前記荷物の前記運送見積の選択された一及び前記支払い情報に責任を持つ運送会社へ通知を送信するステップをさらに含む、
請求項４３に記載の方法。
【請求項４５】
前記方法は、さらに、前記エッジノードから前記荷物の重さを受領するステップを含み、
前記運送見積要求は、さらに、前記荷物の前記重さを含む、
請求項４３に記載の方法。
【請求項４６】
ウェブサービス及びアプリケーションの組を提供するよう構成された一つ以上の中央サーバと、
前記一つ以上の中央サーバと通信する一つ以上のエッジノードであって、前記一つ以上のエッジノートが、それぞれ二つ以上の周辺装置を起動するようさらに構成された前記一つ以上のエッジノードと、を備えるシステムであって、
前記ウェブサービス及びアプリケーションは、前記中央サーバ及び前記エッジノードから区別されるモバイルデバイスによってアクセスされるよう構成され、少なくとも前記周辺装置の一つと直接通信する前記モバイルデバイスなく前記モバイルデバイスと共通の場所にいるエッジノードによって起動された前記周辺装置の少なくとも一の操作を促進するよう構成されているシステム。
【請求項４７】
前記二つ以上の周辺装置は、インターネットに接続されていない周辺装置である、
請求項４６に記載のシステム。
【請求項４８】
一つ以上の中央サーバと、
前記一つ以上の中央サーバと通信する一つ以上のエッジノードであって、前記一つ以上のエッジノードは、それぞれ、
（ａ）ローカルウェブサーバ／プロキシー要求パーサー、
（ｂ）ローカルインターフェース及び実行クライエントを提供するよう構成されたローカルウェブブラウザー、及び
（ｃ）一つ以上のローカルデバイスハンドラー又はドライバー、
の一つ以上を含むエッジノードソフトウェアサービスを実行するエッジノードプロセッサーを含むエッジノードと、を備えるシステムであって、
前記一つ以上のエッジノードのそれぞれは、さらに、一つ以上の周辺装置を制御するよう構成されているシステム。
【請求項４９】
前記一つ以上の周辺装置は、インターネットに接続されていない周辺装置である、
請求項４８に記載のシステム。
【請求項５０】
前記一つ以上の周辺装置は、（ａ）異なる周辺装置のドライバー、（ｂ）異なる周辺装置のＡＰＩ、又は（ｃ）異なるオペレーティングシステムを使用して操作する二つ以上の異なる種類を備える周辺装置である、
請求項４８に記載のシステム。
【請求項５１】
前記一つ以上の中央サーバは、一つ以上のウェブサービスをモバイルデバイスアプリケーションを介して提供し、
少なくとも前記ウェブアプリケーションの一つは、対応する周辺装置と一致する場所でモバイルデバイスアプリケーションを実行するモバイルデバイスからの要求に対応して、対応するエッジノードと連絡し、前記エッジノードと接続された対応する周辺装置を起動するよう構成された、
請求項４８に記載のシステム。
【請求項５２】
一つ以上の中央サーバと、
インターネットを介して一つ以上の前記中央サーバと通信する一つ以上のエッジノードを備え、前記一つ以上の各エッジノードは、エッジノードソフトウェアサービスを実行するエッジノードプロセッサー及び無線送受信機を備え、前記一つ以上の各エッジノードは、さらに一つ以上の周辺装置と接続して制御するよう構成されるシステムにおいて、
対応する前記エッジノードの一つは、前記無線送受信機を通して前記対応するエッジノードと直接接続を介してモバイルデバイス上で実行しているアプリケーションに対し、処理サポートを提供するよう構成されて、これによりインターネットを用いて処理することを回避し、
前記モバイルデバイス上で実行する前記アプリケーションは、前記対応するエッジノードと結合された一つ以上の周辺装置のインターフェースをし、前記一つ以上の周辺装置との処理のために直接接続を使用するシステム。
【請求項５３】
前記対応するエッジノードの一つと前記一つ以上の周辺装置の間の直接接続を通した前記処理は、実質的に、実時間であり、インターネット処理により遅延しない、
請求項５２に記載のシステム。
【請求項５４】
前記一つ以上の中央サーバは、前記モバイルデバイス上で実行する前記アプリケーションと通信し、前記アプリケーションに追加の処理サポートを提供するようにも構成され、
前記追加の処理サポートは、前記一つ以上の周辺装置との実時間処理を要求しない処理である、
請求項５２に記載のシステム。
【請求項５５】
前記一つ以上の周辺装置は、インターネットに接続されていない周辺装置である、
請求項５２に記載のシステム。
【請求項５６】
前記一つ以上の中央サーバは、
前記モバイルデバイス上で実行する前記アプリケーションと接続するようにも構成され、
さらに前記モバイルデバイスと前記対応するエッジノード間の前記直接接続の設立を促進するために、前記対応するノードと接続された前記一つ以上の周辺装置を使用する要求を前記モバイルデバイスから受領し、前記要求が指示したデータを前記対応するエッジノードに送信するよう構成されている、
請求項５２に記載のシステム。
【請求項５７】
一つ以上の中央サーバと、
インターネットを介して前記一つ以上の中央サーバと通信する一つ以上のエッジノードを
備え、前記一つ以上の各エッジノードは、エッジノードソフトウェアサービスを実行するエッジノードプロセッサーを備え、前記一つ以上の各エッジノードは、さらに一つ以上の周辺装置と接続して制御するよう構成され、前記一つ以上の周辺装置は、インターネットに接続しない周辺装置であるシステムにおいて、
前記一つ以上の中央サーバは、インターネットを介してモバイルデバイスにサービスを提
供するよう構成され、
前記サービスは、前記モバイルデバイス上にインストールされたアプリケーションを含み、前記一つ以上の各エッジノード及び関連する周辺装置にアクセスを提供し、それによってインターネットに接続していない周辺装置にインターネットアクセスを提供するシステム。
【請求項５８】
前記一つ以上のエッジノードは、二つ以上の異種の周辺装置と接続した第一のエッジノードを備える、
請求項５７に記載のシステム。
【請求項５９】
前記二つ以上の異種の周辺装置は、異種のオペレーティングシステム、異種のドライバー、又は異種のＡＰＩを有する、
請求項５８に記載のシステム。
【請求項６０】
前記サービスは、前記モバイルデバイスにインストールされることができて、第一組の複数のエッジノードに対してアクセスを提供する第一のアプリケーションを含み、
前記モバイルデバイスにインストールできて前記第一組とは異なる第二組の複数のエッジノードにアクセスを提供する第二アプリケーションを含む、
請求項５７に記載のシステム。
【請求項６１】
前記第一組の複数のエッジノード内の各エッジノードは、第一の組み合わせの周辺装置タイプと接続され、
前記第二組の複数のエッジノード内の各エッジノードは、前記第一の組み合わせの周辺装置タイプとは異なる第二の組み合わせの周辺装置と接続されている、
請求項５７に記載のシステム。
【請求項６２】
一つ以上の中央サーバと、
前記一つ以上の中央サーバとインターネットを介して通信する一つ以上のエッジノードとを備え、前記一つ以上の各エッジノードは、エッジノードソフトウェアサービスを実行するエッジノードプロセッサーを備え、前記一つ以上の各エッジノードは、二つ以上の周辺装置と接続され制御するよう構成されるシステムにおいて、
前記一つ以上の中央サーバは、インターネットを介してサービスをモバイルデバイスに提供するよう構成され、前記サービスは、前記モバイルデバイスによってアクセスされることができるウェブベース又はダウンロード可能なアプリケーションを含み、前記二つ以上の周辺装置を制御する効力のある前記モバイルデバイス上で単一の統一ユーザーインターフェースを提供するシステム。
【請求項６３】
前記一つ以上の周辺装置は、インターネットに接続されていない周辺装置である、
請求項６２に記載のシステム。
【請求項６４】
前記二つ以上の周辺装置は、異種の周辺装置である、
請求項６２に記載のシステム。
【請求項６５】
少なくとも前記周辺装置の一つは、別のユーザーインターフェースを備えない、
請求項６２に記載のシステム。
【請求項６６】
前記単一の統一ユーザーインターフェースは、第一の周辺装置を制御するための第一組の一つ以上の利用者が選択できる領域及び第二の周辺装置を制御するための第二組の一つ以上の利用者が選択できる領域を含む前記モバイルデバイスのタッチスクリーン上で提供されたユーザーインターフェースを備える、
請求項６２に記載のシステム。
【請求項６７】
前記第一組及び第二組の利用者が選択できる領域は、前記単一の統一ユーザーインターフェースを介して、同時に利用者に表示される、
請求項６６に記載のシステム。
【請求項６８】
前記アプリケーションが第一のアプリケーションであり、
前記一つ以上の中央サーバは、前記モバイルデバイスによってアクセスされることができ、異なるエッジノードによって制御される異なる組の二つ以上の周辺装置を制御する効力のある前記モバイルデバイス上で単一の統一ユーザーインターフェースを提供するよう構成される第二のアプリケーションを提供する、
請求項６２に記載のシステム。
【請求項６９】
一つ以上の中央サーバと、
インターネットを介して前記一つ以上の中央サーバと通信する一つ以上のエッジノードとを備えるシステムであって、前記一つ以上の各エッジノードは、エッジノードソフトウェアサービスを実行するエッジノードプロセッサーを備え、前記一つ以上の各エッジノードは、さらに一つ以上の周辺装置と接続され制御するよう構成され、対応する前記エッジノードの一つは、プリンタと接続し制御するよう構成されるシステムであって、
前記一つ以上の中央サーバは、インターネットを介してモバイルデバイスにサービスを提供するよう構成され、
前記サービスは、前記モバイルデバイスによってインストール又はアクセスされるアプリケーションであって、前記対応するエッジノードの一つによって制御されるプリンタで文書を印刷させる前記モバイルデバイスの利用者と処理を促進するアプリケーションを含み、前記一つ以上の中央サーバは、さらに前記利用者を対象とする商用材料を選択し、前記対象となる商用材料を前記プリンタで前記文書と共に印刷するよう構成されるシステム。
【請求項７０】
前記商用材料は、クーポン又は広告を含む、
請求項６９に記載のシステム。
【請求項７１】
前記一つ以上の中央サーバは、前記プリンタの既知で事前に記憶された場所に基づき前記商用材料を選択するよう構成された、
請求項６９に記載のシステム。
【請求項７２】
前記商用材料は、クーポン又はビジネスのための広告を含み、
前記一つ以上の中央サーバは、前記プリンタの地理的範囲内の一つ以上のビジネスを特定し、前記地理的範囲内にあると特定された一つ以上のビジネスに対する商用材料を選択することによって、前記商用材料を選択するよう構成された、
請求項６９に記載のシステム。
【請求項７３】
前記一つ以上の中央サーバは、前記一つ以上の中央サーバで記憶された前記利用者のため
のプロファイルデータに基づき前記商用材料を選択するよう構成された、
請求項６９に記載のシステム。
【請求項７４】
前記一つ以上の中央サーバは、前記利用者と前記一つ以上の中央サーバの間の以前の処理から処理データを用いて生成された分析に基づき前記商用材料を選択するよう構成された、
請求項６９に記載のシステム。
【請求項７５】
前記一つ以上の中央サーバは、前記対応するエッジノードの一つと接続され制御される追加の周辺装置から集められた情報に基づき前記商用材料を選択するよう構成された、
請求項６９に記載のシステム。
【請求項７６】
前記追加の周辺装置は、利用者のイメージを取得するよう構成されたカメラであり、
前記一つ以上の中央サーバは、前記イメージの顔面認識処理を実行し、前記顔面認識処理
に基づき前記商用材料を選択するよう構成された、
請求項７５に記載のシステム。